(57)【特許請求の範囲】
【請求項１】
１対の重合されたプラスチック結束テープＡと、該１対の結束テープＡの両側縁の間に挟持された１対のＶ字形折りのプラスチック結束テープＢが、折り畳まれた状態で一方の端部で溶着され、折り畳みを開くことにより十文字状となる十文字状のプラスチック結束テープであって、１対のプラスチック結束テープＡと１対のプラスチック結束テープＢがその下縁において結束テープの幅方向に溶着され、下縁溶着線によって４枚の結束テープが結合し、下縁溶着線より各結束テープの側縁に達する傾斜溶着線により、各１枚のプラスチック結束テープＡとプラスチック結束テープＢが溶着されてなることを特徴とする十文字状のプラスチック結束テープ。
【請求項２】
傾斜溶着線が、直線状である請求項１記載の十文字状のプラスチック結束テープ。
【請求項３】
傾斜溶着線が、下縁溶着線の近傍で湾曲して下縁溶着線に略垂直となる請求項１記載の十文字状のプラスチック結束テープ。
【請求項４】
下縁溶着線が、２本の溶着線である請求項１記載の十文字状のプラスチック結束テープ。
【請求項５】
１対の傾斜溶着線が、それぞれ２本の溶着線である請求項１記載の十文字状のプラスチック結束テープ。
【請求項６】
長尺のチューブ状のプラスチックフイルムを移送しつつ、（１）両側縁に１対のＶ字形のガゼット部を有する帯状フイルムを形成し、（２）帯状フイルムのガゼット部の４本の外折り線に刃を入れることにより、１対の表面フイルムと１対のＶ字形折りフイルムに切断し、（３）Ｖ字形折りフイルムの折り目の間に断熱性の受け台を挿入し、受け台の両側から熱溶着刃を押し付けて表面フイルムとＶ字形折りフイルムの各１枚ずつをハの字形に溶着して傾斜溶着線を形成し、（４）ハの字形の傾斜溶着線の上端において、１対の表面フイルムと１対のＶ字形折りフイルムのすべてをフイルムの幅方向に直線状に溶着して下縁溶着線を形成し、（５）直線状の下縁溶着線の外側で切断することを特徴とする十文字状のプラスチック結束テープの製造方法。
【発明の詳細な説明】
【０００１】
【発明の属する技術分野】
本発明は、十文字状のプラスチック結束テープ及びその製造方法に関する。さらに詳しくは、本発明は、新聞古紙、古雑誌、段ボール屑、弁当容器屑などを、手間をかけることなく十文字に結束することができる十文字状のプラスチック結束テープ及びその製造方法に関する。
【０００２】
【従来の技術】
新聞、チラシ、雑誌などの古紙の回収と再利用は、パルプ原木資源の節約と国内外の森林資源の温存につながる。また、古紙を回収し再利用することにより、固形廃棄物としての自治体によるゴミ収集と処理への負担を軽減することができる。古紙の利用は、パルプの代替として経済的に有利であるばかりでなく、資源環境問題への寄与が大きい。このために、各家庭からの新聞などの古紙の回収が積極的に進められている。
回収された古紙は、古紙集荷段階において選別が行われる。この工程は人手に頼らざるを得ないが、以後の機械的処理や古紙パルプの品質への影響が大きい。従来、新聞、チラシ、雑誌などの古紙は、紙袋又はプラスチックフイルム製の袋に収納され、各家庭より回収されていた。しかし、古紙を選別するためには、いったん袋から取り出す必要があり、多くの手間がかかっていた。このために、古紙集荷業者より、袋に収納した状態でなく、紐でしばった状態で各家庭より古紙を提供してほしいという要望が出されるようになった。紐でしばった状態であれば、紐を切断することにより、容易に選別可能な状態とすることができる。しかし、一般家庭において、古紙を紐でしばった状態で提供することは、それほど簡単なことではない。読了後の新聞は、不規則に折り畳まれた状態となりやすく、さらにチラシや雑誌が加わると、紐でしばっているうちに崩れて、安定して持ち運びできるように結束することは容易ではない。
また、野外パーティ、運動会、キャンプなどの催しでは、多数のプラスチック製の弁当容器の屑が発生する場合がある。弁当容器屑は、比較的平らなほぼ同じ形状なので、積み重ねて紐でしばれば、少ない包装材料で小さくまとめることができる。しかし、弁当容器屑をまとめて紐でしばることは容易ではないので、大型のごみ袋を準備して、弁当容器屑を手当たり次第に放り込み、包装材料と貯蔵、運搬のスペースを無駄にしながら、廃棄処分にしている場合が多い。
このために、新聞古紙、古雑誌、段ボール屑、弁当容器屑などを、容易にまとめて結束することができる包装材料が求められている。
【０００３】
【発明が解決しようとする課題】
本発明は、新聞古紙、古雑誌、段ボール屑、弁当容器屑などを、手間をかけることなく十文字に結束することができる十文字状のプラスチック結束テープ及びその製造方法を提供することを目的としてなされたものである。
【０００４】
【課題を解決するための手段】
本発明者らは、上記の課題を解決すべく鋭意研究を重ねた結果、１対の重合されたプラスチック結束テープＡと、該１対の結束テープの両側縁の間に挟持された１対のＶ字形折りのプラスチック結束テープＢが、折り畳まれた状態で下縁において幅方向に溶着され、さらに下縁溶着線より各結束テープの側縁に達する傾斜溶着線により各１枚のプラスチック結束テープＡとプラスチック結束テープＢが溶着されたプラスチック結束テープは、折り畳みを開くことにより十文字状となって、新聞古紙、弁当容器屑などの形態が安定しない物品を小さくまとめて結束することができ、また、このような十文字状のプラスチック結束テープは、長尺のチューブ状のプラスチックフイルムより容易に製造し得ることを見いだし、この知見に基づいて本発明を完成するに至った。
すなわち、本発明は、
（１）１対の重合されたプラスチック結束テープＡと、該１対の結束テープＡの両側縁の間に挟持された１対のＶ字形折りのプラスチック結束テープＢが、折り畳まれた状態で一方の端部で溶着され、折り畳みを開くことにより十文字状となる十文字状のプラスチック結束テープであって、１対のプラスチック結束テープＡと１対のプラスチック結束テープＢがその下縁において結束テープの幅方向に溶着され、下縁溶着線によって４枚の結束テープが結合し、下縁溶着線より各結束テープの側縁に達する傾斜溶着線により、各１枚のプラスチック結束テープＡとプラスチック結束テープＢが溶着されてなることを特徴とする十文字状のプラスチック結束テープ、
（２）傾斜溶着線が、直線状である第１項記載の十文字状のプラスチック結束テープ、
（３）傾斜溶着線が、下縁溶着線の近傍で湾曲して下縁溶着線に略垂直となる第１項記載の十文字状のプラスチック結束テープ、
（４）下縁溶着線が、２本の溶着線である第１項記載の十文字状のプラスチック結束テープ、
（５）１対の傾斜溶着線が、それぞれ２本の溶着線である第１項記載の十文字状のプラスチック結束テープ、及び、
（６）長尺のチューブ状のプラスチックフイルムを移送しつつ、(１)両側縁に１対のＶ字形のガゼット部を有する帯状フイルムを形成し、(２)帯状フイルムのガゼット部の４本の外折り線に刃を入れることにより、１対の表面フイルムと１対のＶ字形折りフイルムに切断し、(３)Ｖ字形折りフイルムの折り目の間に断熱性の受け台を挿入し、受け台の両側から熱溶着刃を押し付けて表面フイルムとＶ字形折りフイルムの各１枚ずつをハの字形に溶着して傾斜溶着線を形成し、(４)ハの字形の傾斜溶着線の上端において、１対の表面フイルムと１対のＶ字形折りフイルムのすべてをフイルムの幅方向に直線状に溶着して下縁溶着線を形成し、(５)直線状の下縁溶着線の外側で切断することを特徴とする十文字状のプラスチック結束テープの製造方法、
を提供するものである。
さらに、本発明の好ましい態様として、
（７）下縁溶着線と傾斜溶着線のなす角度が、４０〜５０度である第２項記載の十文字状のプラスチック結束テープ、及び、
（８）下縁溶着線及び１対の傾斜溶着線が、それぞれ２本の溶着線である第１項記載の十文字状のプラスチック結束テープ、
を挙げることができる。
【０００５】
【発明の実施の形態】
本発明の十文字状のプラスチック結束テープは、１対の重合されたプラスチック結束テープＡと、該１対の結束テープＡの両側縁の間に挟持された１対のＶ字形折りのプラスチック結束テープＢが、折り畳まれた状態で一方の端部で溶着され、折り畳みを開くことにより十文字状となる十文字状のプラスチック結束テープであって、１対のプラスチック結束テープＡと１対のプラスチック結束テープＢがその下縁において結束テープの幅方向に溶着され、下縁溶着線によって４枚の結束テープが結合し、下縁溶着線より各結束テープの側縁に達する傾斜溶着線により、各１枚のプラスチック結束テープＡとプラスチック結束テープＢが溶着されている。
図１(ａ)は、本発明の十文字状のプラスチック結束テープの一態様の側面図であり、図１(ｂ)は、そのＣ−Ｃ線切断部端面図であり、図１(ｃ)は、その折り畳みを開いた状態を上方から眺めた部分平面図であり、図１(ｄ)は、その折り畳みを開いた状態を下方から眺めた部分平面図であり、図１(ｅ)は、その使用状態を示す斜視図である。本態様の十文字状のプラスチック結束テープは、１対の重合されたプラスチック結束テープＡと、該１対の結束テープＡの両側縁１の間に挟持された１対のプラスチック結束テープＢが折り畳まれた状態でその下縁において幅方向に溶着され、下縁溶着線２によって４枚の結束テープが結合し、下縁溶着線より各結束テープの側縁に達する直線状の傾斜溶着線３により、各１枚のプラスチック結束テープＡとプラスチック結束テープＢが溶着されている。本態様の結束テープは、プラスチック結束テープＡとプラスチック結束テープＢの上縁４をもって折り畳みを四方に開くことにより十文字状となる。１対のプラスチック結束テープＡは、下縁溶着線２により相互に溶着され、１対のプラスチック結束テープＢは、傾斜溶着線３によりプラスチック結束テープＡに溶着されているので、結合部は新聞古紙などを結束して取り扱うために必要にして十分な強度を有している。
【０００６】
本発明の十文字状のプラスチック結束テープの使用に際しては、折り畳みを開いて４枚のプラスチック結合テープを十文字状に広げ、十文字の中心部に新聞古紙、古雑誌、段ボール屑、弁当容器屑などの処理物品を積み重ねる。処理物品が適当な量に達したとき、プラスチック結束テープＡ又はＢの一方を処理物品の上部で結び、次いで他方を同様に処理物品の上部で結んで図１(ｅ)に示す状態とし、処理物品を結束する。結束の状態がゆるい場合には、プラスチック結束テープＡ又はＢの一方をいったん解いて増し締めし、次いで他方を解いて増し締めするという操作を繰り返すことにより、処理物品をゆるみのない安定した状態に結束することができる。本発明の十文字状のプラスチック結束テープを用いることにより、積み重ねられた処理物品にほとんど手を触れることなく、容易に結束することができる。
本発明の十文字状のプラスチック結束テープにおいては、下縁溶着線と直線状の傾斜溶着線のなす角度が４０〜５０度であることが好ましく、４３〜４７度であることがより好ましく、４５度であることがさらに好ましい。下縁溶着線と直線状の傾斜溶着線のなす角度を４０〜５０度とすることにより、処理物品を結束して持ち上げたとき、プラスチック結束テープＡとプラスチック結束テープＢにかかる応力の溶着線への集中を防ぎ、丈夫な結束状態とすることができる。
図２(ａ)は、本発明の十文字状のプラスチック結束テープの他の態様の側面図であり、図２(ｂ)は、そのＤ−Ｄ線切断部端面図であり、図２(ｃ)は、その折り畳みを開いた状態を上方から眺めた部分平面図であり、図２(ｄ)は、その折り畳みを開いた状態を下方から眺めた部分平面図である。本態様の結束テープは、１対のＶ字形折りのプラスチック結束テープＢの折り込み幅が広く、１対の内折り線５がほとんど接する状態となっている。このために、図２(ｃ)及び図２(ｄ)に見られるように、プラスチック結束テープＡとプラスチック結束テープＢの幅がほぼ等しく、プラスチック結束テープＡとプラスチック結束テープＢを結合する傾斜溶着線３も長いので、十文字状のプラスチック結束テープの強度が大きく、比較的重量の大きい処理物品の結束に適している。
【０００７】
本発明の十文字状のプラスチック結束テープは、傾斜溶着線を下縁溶着線の近傍で湾曲させ、下縁溶着線と略垂直となる形状とすることができる。図３(ａ)は、本発明の十文字状のプラスチック結束テープの他の態様の側面図であり、図３(ｂ)は、そのＥ−Ｅ線切断部端面図であり、図３(ｃ)は、その折り畳みを開いた状態を上方から眺めた部分平面図であり、図３(ｄ)は、その折り畳みを開いた状態を下方から眺めた部分平面図である。本態様の十文字状のプラスチック結束テープにおいては、傾斜溶着線３が下縁溶着線１の近傍で湾曲し、傾斜溶着線と下縁溶着線が略垂直に交わっている。このために、図３(ｃ)及び図３(ｄ)に見られるように、プラスチック結束テープＡとプラスチック結束テープＢを結合する傾斜溶着線３は、下縁溶着線１の近傍においてプラスチック結束テープＢの長さ方向に対して略垂直となり、処理物品を結束して持ち上げたとき、プラスチック結束テープＢの応力が一点に集中することがないので、比較的重量の大きい処理物品の結束に適している。
本発明の十文字状のプラスチック結束テープは、下縁溶着線、各傾斜溶着線又はその両方を２本の溶着線とすることができる。図４(ａ)、図４(ｂ)及び図４(ｃ)は、それぞれ本発明の十文字状のプラスチック結束テープの他の態様の側面図である。図４(ａ)に示す態様においては、下縁溶着線２が２本の溶着線よりなり、図４(ｂ)に示す態様においては、１対の傾斜溶着線がそれぞれ２本の溶着線よりなり、図４(ｃ)に示す態様においては、下縁溶着線と各傾斜溶着線がいずれも２本の溶着線よりなっている。下縁溶着線、各傾斜溶着線又はその両方を２本の溶着線とすることにより、結合部の強度を高め、重量の大きい処理物品の結束を可能とすることができる。
【０００８】
本発明の十文字状のプラスチック結束テープの製造方法においては、長尺のチューブ状のプラスチックフイルムを移送しつつ、(１)両側縁に１対のＶ字形のガゼット部を有する帯状フイルムを形成し、(２)帯状フイルムのガゼット部の４本の外折り線に刃を入れることにより、１対の表面フイルムと１対のＶ字形折りフイルムに切断し、(３)Ｖ字形折りフイルムの折り目の間に断熱性の受け台を挿入し、受け台の両側から熱溶着刃を押し付けて表面フイルムとＶ字形折りフイルムの各１枚ずつをハの字形に溶着して傾斜溶着線を形成し、(４)ハの字形の傾斜溶着線の上端において、１対の表面フイルムと１対のＶ字形折りフイルムのすべてをフイルムの幅方向に直線状に溶着して下縁溶着線を形成し、(５)直線状の下縁溶着線の外側で切断する。
図５は、本発明の十文字状のプラスチック結束テープの製造方法の一態様の工程説明図である。長尺のチューブ状のプラスチックフイルム６を連続的にガゼッター７に移送し、両側縁に１対のＶ字形のガゼット部８を有する帯状フイルム９を形成する。次に、帯状フイルムのガゼット部の４本の外折り線に刃１０を入れることにより、１対の表面フイルムと１対のＶ字形折りフイルムに切断する。次いで、好ましくは帯状フイルムの移送方式をピッチ移送に切り替え、Ｖ字形折りフイルムの間に断熱性の受け台１１を挿入し、受け台の両側からハの字形の熱溶着刃１２を押し付け、表面フイルムとＶ字形折りフイルムの各１枚を溶着してハの字形の溶着線１３を形成する。さらに、ハの字形の溶着線の上端１４において、直線状の溶着刃１５により１対の表面フイルムと１対のＶ字形折りフイルムのすべてを帯状フイルムの幅方向に直線状に溶着して下縁溶着線を形成し、切断刃１６により下縁溶着線の外側で切断して、本発明の十文字状のプラスチック結束テープ１７を得る。
図６は、本発明の十文字状のプラスチック結束テープの製造方法の他の態様の説明図である。本態様においては、図６(ａ)に示すように、ハの字形の熱溶着刃２組が向かい合わせに組み合わされて、Ｖ字形の溶着線１８を形成し、Ｆ−Ｆ線で切断、Ｇ−Ｇ線で溶断又は溶着後切断することにより、本発明の十文字状のプラスチック結束テープ１９を得る。
【０００９】
【発明の効果】
本発明の十文字状のプラスチック結束テープを用いることにより、新聞古紙、古雑誌、段ボール屑、弁当容器屑などを、手間をかけることなく、手を汚すことなく、容易に十文字に結束することができる。また、本発明の製造方法によれば、このような十文字状のプラスチック結束テープを簡単な工程により、容易かつ経済的に製造することができる。
【図面の簡単な説明】
【図１】図１は、本発明の十文字状のプラスチック結束テープの一態様の側面図、切断部端面図、部分平面図及び斜視図である。
【図２】図２は、本発明の十文字状のプラスチック結束テープの他の態様の側面図、切断部端面図及び部分平面図である。
【図３】図３は、本発明の十文字状のプラスチック結束テープの他の態様の側面図、切断部端面図及び部分平面図である。
【図４】図４は、本発明の十文字状のプラスチック結束テープの他の態様の側面図である。
【図５】図５は、本発明の十文字状のプラスチック結束テープの製造方法の一態様の工程説明図である。
【図６】図６は、本発明の十文字状のプラスチック結束テープの製造方法の他の態様の説明図である。
【符号の説明】
Ａ  重合されたプラスチック結束テープ
Ｂ  Ｖ字形折りのプラスチック結束テープ
１  側縁
２  下縁溶着線
３  傾斜溶着線
４  上縁
５  内折り線
６  チューブ状のプラスチックフイルム
７  ガゼッター
８  Ｖ字形のガゼット部
９  帯状フイルム
１０  刃
１１  断熱性の受け台
１２  ハの字形の熱溶着刃
１３  ハの字形の溶着線
１４  ハの字形の溶着線の上端
１５  直線状の溶着刃
１６  切断刃
１７  十文字状のプラスチック結束テープ
１８  Ｖ字形の溶着線
１９  十文字状のプラスチック結束テープ
【図１】
0004256040.tif 000002
【図２】
0004256040.tif 000003
【図３】
0004256040.tif 000004
【図４】
0004256040.tif 000005
【図５】
0004256040.tif 000006
【図６】
0004256040.tif 000007